(57)【要約】【課題】ノズル本体を収納するケーシングの高さを低く抑えること。【解決手段】ディスクバルブ３０の開閉制御を行う駆動軸３０ｅの中心線Ｖ−Ｖと、駆動軸３０ｅを回転駆動する電気モータ３１の出力軸３１ａの中心線Ｍ−Ｍを略水平方向とするものであるから、電気モータ３１で制御されるディスクバルブ３０の高さが直径方向の径が高さとなるので低くなり、かつ、可撓性に富むフレキシブル流体管２６，４６に無理な配管配置をすることなく、そのフレキシブル流体管２６，４６の取り付け位置の洗浄水の排出方向の向きによって滑らかに移動させることができるから、シャワー用ノズル本体２０またはビデ用ノズル本体４０からなるノズル本体をスライド移動自在に保持する本体ベース１の高さを低く設定することができる。【選択図】図６
2007239249.tif 000002
【特許請求の範囲】
【請求項１】
ケーシングの内部に収容された本体ベースに装着され、かつ、前記本体ベースの上面に沿って前後方向に進退自在の肛門洗浄用ノズル本体及びビデ洗浄用ノズル本体と、
内蔵されたディスクを電気モータによって回転させることにより、給水源から供給された洗浄水を前記肛門洗浄用ノズル本体または前記ビデ洗浄用ノズル本体に選択的に供給するディスクバルブを備えた人体局部洗浄装置において、
前記電気モータの出力軸の中心線が、略水平方向に延在し、かつ、前記肛門洗浄用ノズル本体及び前記ビデ洗浄用ノズル本体が進退する前後方向と交差するように、前記ディスクバルブを前記肛門洗浄用ノズル本体及び前記ビデ洗浄用ノズル本体が進退する前後方向の片側に配設したことを特徴とする人体局部洗浄装置。
【請求項２】
前記電気モータの軸心及び前記ディスクの軸心は、前記前記肛門洗浄用ノズル本体及び前記ビデ洗浄用ノズル本体が進退する前後方向に対して略直角をなしていることを特徴とする請求項１に記載の人体局部洗浄装置。
【請求項３】
前記ディスクバルブと前記肛門洗浄用ノズル本体及び前記ビデ洗浄用ノズル本体の何れか一方とを連通する配管は、前記前記肛門洗浄用ノズル本体及び前記ビデ洗浄用ノズル本体が進退する前後方向の一方の側面側から他方の側面側に延出していることを特徴とする請求項１または請求項２に記載の人体局部洗浄装置。
【発明の詳細な説明】
【技術分野】
【０００１】
本発明は、水洗便器に設置される人体局部洗浄装置に関し、特に、ノズル本体を収納する空間の高さを低く抑えてコンパクト化を図った人体局部洗浄装置の構造に関するものである。
【背景技術】
【０００２】
一般に、この種の人体局部洗浄装置は、洗浄水を噴出するノズルをケーシングに収納し、ノズルの先端がケーシング内に入った位置から洗浄動作を行う位置まで、ケーシングの出入口を通して往復移動するようにしている。洗浄動作をするときには、ノズルが人体局部に接近するので、その跳ね返り水により、ノズルに汚水や汚物が付着し易くなる。そのため、ノズルに筒状のノズルカバー体を着脱可能に取り付けて、少なくともノズルの先端付近に汚水や汚物の付着による汚染を防止している。また、ノズルと重なり合う吐出孔をノズルカバーに設けて、ノズルから噴出する洗浄水が吐出孔を通って噴出するようにしている。
【０００３】
具体的には、従来の人体局部洗浄装置として特許文献１の発明がある。即ち、特許文献１の発明は、先端に洗浄水の噴出孔を有し、後部上に給水部及び給水部から噴出孔に通じる通水路を有するノズル本体と、前記ノズル本体を出没自在に収納するノズル支持台と、洗浄時に前記ノズル支持台より前記ノズル本体を突出させるノズル駆動手段と、前記ノズル本体の給水部に接続し、洗浄水を供給する柔軟で、かつ、弾性力を有する給水ホースとを備え、前記給水ホースは前記ノズル本体の突出側から給水部に導く構成としたものである。したがって、前記給水ホースは、ノズル本体の上方への膨らみを低く抑えられ、かつ、ノズル本体の摺動時に捩れなくでき、ノズル本体に洗浄水を供給する給水ホースの高さを、ノズル本体のノズル支持台への収納時に低く抑えるようにしたものである。
【特許文献１】特開２００３−２９３４３０
【発明の開示】
【発明が解決しようとする課題】
【０００４】
上記特許文献１において、人体局部に洗浄水を噴射して洗浄するノズル本体は、その後部上に設けた給水部に接続した柔軟で、かつ、弾性力を有する給水ホースを、ノズル本体の上側の突出側よりノズル支持台に途中を沿わせて導出し、一端部を給水部に導く構成にすることにより、ノズル支持台へのノズル本体の収納時において給水ホースの上方への膨らみを抑え、装置のコンパクト化を図っている。
しかし、上記給水ホースは上記ノズル本体の上側の突出側で、ノズル支持台に沿った途中から給水部に至る給水ホースの上方への膨らみ部分が、ノズル支持台に対するノズル本体の出入時に前記膨らみのままで移動変形するから捩れ作用は殆ど加わらないが、上記ノズル本体の移動に伴なって上記ノズル本体の移動軌跡の上側の位置で、給水ホースは尺取虫のような上下運動を行うから、ノズル本体とそのケーシングとの間に大きな空間を形成する必要があった。また、上記特許文献１に図示されていないが、上記給水ホースに対する洗浄水の送給バルブが給水ホースの取り付け位置をノズル本体の取り付け位置に近くし、まつわりつくのを防止するために縦型配置であったため、ノズル支持台自体の高さが高くならざるを得なかった。
【０００５】
そこで、この発明はかかる不具合を解決するためになされたもので、ノズル本体を収納するケーシングの高さを低く抑えることができる人体局部洗浄装置の提供を課題とするものである。
【課題を解決するための手段】
【０００６】
請求項１にかかる人体局部洗浄装置は、ケーシングの内部に収容された本体ベースに装着され、かつ、前記本体ベースの上面に沿って前後方向に進退自在の肛門洗浄用ノズル本体及びビデ洗浄用ノズル本体と、内蔵されたディスクを電気モータによって回転させることにより、給水源から供給された洗浄水を前記肛門洗浄用ノズル本体または前記ビデ洗浄用ノズル本体に選択的に供給するディスクバルブを備えた人体局部洗浄装置において、前記電気モータの出力軸の中心線が、略水平方向に延在し、かつ、前記肛門洗浄用ノズル本体及びビデ洗浄用ノズル本体が進退する前後方向と交差するように、前記ディスクバルブを前記前記肛門洗浄用ノズル本体及びビデ洗浄用ノズル本体が進退する前後方向の片側に配設したものである。
ここで、上記肛門洗浄用ノズル本体及びビデ洗浄用ノズル本体が進退する前後方向と交差するとは、三次元的に構成されるものであるから、平面図または正面図的にみて交差するものであればよい。前記前記肛門洗浄用ノズル本体及びビデ洗浄用ノズル本体が進退する前後方向の片側についても、平面図または正面図的にみて右側または左側であればよい。
【０００７】
請求項２にかかる人体局部洗浄装置の前記電気モータの軸心及び前記ディスクの軸心は、前記前記肛門洗浄用ノズル本体及びビデ洗浄用ノズル本体が進退する前後方向に対して略直角をなしているものである。ここで、上記肛門洗浄用ノズル本体及びビデ洗浄用ノズル本体が進退する前後方向と略直角とは、三次元的に構成されるものであるから、平面図または正面図的にみて略直角であればよい。
【０００８】
請求項３にかかる人体局部洗浄装置の前記ディスクバルブと前記肛門洗浄用ノズル本体または前記ビデ洗浄用ノズル本体とを連通する配管は、前記肛門洗浄用ノズル本体及びビデ洗浄用ノズル本体が進退する前後方向の一方の側面側から他方の側面側に延出しているものである。ここで、上記肛門洗浄用ノズル本体及びビデ洗浄用ノズル本体が進退する前後方向の一方の側面側から他方の側面側に延出とは、三次元的に構成されるものであるから、平面図または正面図的にみて左右に横切って折ればよい。
【発明の効果】
【０００９】
請求項１の人体局部洗浄装置によれば、内蔵されたディスクを電気モータによって回転させることにより、給水源から供給された洗浄水を前記肛門洗浄用ノズル本体または前記ビデ洗浄用ノズル本体に選択的に供給するディスクバルブは、前記電気モータの出力軸の中心線が、略水平方向とし、かつ、前記肛門洗浄用ノズル本体及びビデ洗浄用ノズル本体が進退する前後方向と交差するように、前記ディスクバルブを前記肛門洗浄用ノズル本体及びビデ洗浄用ノズル本体が進退する前後方向の片側に配設したものである。
したがって、ディスクバルブの開閉制御を行う駆動軸と該駆動軸を回転駆動する電気モータの出力軸を略水平方向とするものであるから、電気モータで制御される多層化したディスクバルブの高さ（縦型の高さ）に対して直径方向の径が高さとなるので低くなり、かつ、無理な配管をすることなく、その配管の取り付け位置の洗浄水の排出方向の向きによって滑らかに移動させることができるから、前記ノズル本体をスライド移動自在に保持する本体ベースを低く設定することができる。特に、ディスクバルブの開閉制御を行う駆動軸と、その駆動軸を回転駆動する電気モータの出力軸を独立して略水平方向とするものであるから、前記ディスクバルブとそれを駆動する電気モータとの軸が必ずしも直線位置に設定する必要性がなくなり、レイアウトの自由度を高めることができる。前記ディスクバルブの位置が低くなり、配管の長さにゆとりができるから、前記ノズル本体の移動軌跡以下の位置にフレキシブル流体管を配設でき、本体ベースの高さを低くすることができる。
よって、ノズル本体を収納するケーシングの高さを低く抑えることができる。
【００１０】
請求項２の人体局部洗浄装置によれば、前記電気モータの軸心及び前記ディスクの軸心は、前記肛門洗浄用ノズル本体及びビデ洗浄用ノズル本体が進退する前後方向に対して略直角をなしているものであるから、請求項１に記載の効果に加えて、前記ディスクバルブの開閉制御を行う駆動軸と、その駆動軸を回転駆動する電気モータの出力軸を独立して略水平方向とすることができ、前記ディスクバルブとそれを駆動する電気モータとの軸が必ずしも直線位置に設定する必要性がなくなり、レイアウトの自由度を高めることができる。前記ディスクバルブの位置が低くなり、配管の長さにゆとりができるから、前記ノズル本体の移動軌跡以下の位置に配管を配設でき、本体ベースの高さを低くすることができる。
【００１１】
請求項３の人体局部洗浄装置によれば、前記ディスクバルブと前記肛門洗浄用ノズル本体及び前記ビデ洗浄用ノズル本体の何れか一方とを連通する配管が、前記前記肛門洗浄用ノズル本体及び前記ビデ洗浄用ノズル本体が進退する前後方向の一方の側面側から他方の側面側に延出しているから、請求項１または請求項２に記載の効果に加えて、前記ディスクバルブから前記肛門洗浄用ノズル本体または前記ビデ洗浄用ノズル本体への配管を簡素化可能となる。
【発明を実施するための最良の形態】
【００１２】
以下、本発明の実施の形態について、図面に基づいて説明する。
図１は本発明の実施の形態１における人体局部洗浄装置の全体斜視図、図２は本発明の実施の形態１における人体局部洗浄装置の右側面図、図３は本発明の実施の形態１における人体局部洗浄装置の左側面図、図４は図２の矢印Ａ方向から見たＡ矢視図、図５は本発明の実施の形態１における人体局部洗浄装置の取付状態の下からの視点で見たディスクバルブと電気モータの平面図、図６は本発明の実施の形態１における人体局部洗浄装置のディスクバルブと電気モータを同軸とした視点から見た要部断面図である。
【００１３】
まず、図１及び図２、図４を用いて、本実施の形態１における人体局部洗浄装置としてのシャワー用ノズル側について説明する。
図１及び図２、図４において、本体ベース１は本実施の形態１にかかる人体局部洗浄装置１０の骨子となるもので、各種の部品を取り付けられる合成樹脂またはアルミニウムで形成されている。シャワー用モータ１１は、１個以上のギアを介して肛門洗浄用ノズル本体（以下、これを単に『シャワー用ノズル本体』という）２０を移動させるピニオン１２を正回転または逆回転させ、そのピニオン１２と噛み合うラック２１によってシャワー用ノズル本体２０を上下方向（その長さ方向）にスライド移動させるものである。即ち、本体ベース１には、シャワー用ノズル本体２０を長さ方向にスライド移動する図示しない案内溝が形成され、シャワー用ノズル本体２０はそれに噛み合っている。シャワー用ノズル本体２０はその図示しない案内溝に沿って直線運動を行うことになる。このシャワー用ノズル本体２０は、上下の対向する平行面からなる２面を直線平面とし、その下方の面にラック２１を形成している。このラック２１は、シャワー用ノズル本体２０を上下方向にスライド移動する範囲以上に形成されている。このように、シャワー用ノズル本体２０にラック２１を配設した範囲は、ピニオン１２を正回転または逆回転させることによって、シャワー用ノズル本体２０を移動させる移動駆動部２２を形成している。シャワー用ノズル本体２０の移動駆動部２２の長さ方向の下部には、ノズルカバー２４を有している。ノズルカバー２４は、シャワー用ノズル本体２０の長さ方向に挿入し、回動することによりスナップ動作して係合を行う構成となっている。
【００１４】
シャワー用ノズル本体２０には、そこに供給される洗浄水の流速及び流体圧力を低下させないようにするため、ラック２１を配設した移動駆動部２２の上部に２個の導入口２５ａ，２５ｂを配設し、更に、それらの２個の導入口２５ａ，２５ｂに２本のフレキシブル流体管２６ａ，２６ｂを接続している。なお、このディスクバルブ３０は電気モータ３１によって駆動されている。
詳しくは、２本のフレキシブル流体管２６ａ，２６ｂが接続された移動駆動部２２の上部に配設され接続端部２５は、２本のフレキシブル流体管２６を単一の図示しない流体管として洗浄水を供給している。この図示しない当該流体管は、移動駆動部２２の内部に挿通されている。このように、本実施の形態では、フレキシブル流体管２６の流体抵抗を低くするために２個の導入口２５ａ，２５ｂに２本のフレキシブル流体管２６が接続され、移動駆動部２２の上端に配設された接続端部２５によって、フレキシブル流体管２６の洗浄水が合流されるようになっている。
【００１５】
本実施の形態における移動駆動部２２は、シャワー用ノズル本体２０の認識しやすさにより平行面からなる２面を直線平面としているが、本発明を実施する場合には、少なくとも一面、即ち、下方向の面を平面とし、その平面を用いてラック２１を形成するものであればよい。勿論、この平面は、歯と歯の間の歯底面のみを平面とするものであってもよい。したがって、移動駆動部２２は、ラック２１と噛み合い、回転自在に固定されたピニオン１２の回転によって本体ベース１から進退する伸縮移動自在となる。
本実施の形態のシャワー用ノズル本体２０の内部の図示しない流体管は、移動駆動部２２を通過して、移動駆動部２２の下部にあるノズルカバー２４の内部に挿着されている図示しない噴射ガイドに接続されている。前記噴射ガイドには、図示しない噴射口が配設されていて、洗浄水は噴射ガイドの噴射口から噴射される。なお、噴射口にはノズルカバー２４の噴射ガイド口が位置し、噴射口以外の位置を覆っている。また、図示しない噴射ガイド、噴射口、ノズルカバー２４の噴射ガイド口等は、公知であるから、その詳細な説明を省略する。
したがって、ノズルカバー２４は、跳ね返った洗浄水によって汚れる可能性があるが、ノズルカバー２４を取り外して洗浄することにより、常にノズルカバー２４を清潔に維持することができる。
【００１６】
このように、本実施の形態におけるシャワー用ノズル本体２０は、少なくとも一面を平面とし、その平面にラック２１を形成し、ラック２１と噛み合う回転自在に固定されたピニオン１２によって、本体ベース１から伸縮移動自在とした移動駆動部２２と、移動駆動部２２の先端に設けたノズルカバー２４とを有するものである。また、シャワー用ノズル本体２０は、本体ベース１から伸縮移動自在とする移動駆動部２２の下部に配設した噴射口及び上側に配設した洗浄水の導入口２５ａ，２５ｂを有するものである。
【００１７】
シャワー用ノズル本体２０の移動駆動部２２の上側の２個の導入口２５ａ，２５ｂは、シャワー用ノズル本体２０の移動方向に対して平行するように延び出している。この２個の導入口２５ａ，２５ｂは、水平面に対するシャワー用ノズル本体２０の移動する中心の軸線が形成する角度θの仮想平面（図２の矢印Ａ方向から見た面）に平行して２個の導入口２５ａ，２５ｂを設けている。２個の導入口２５ａ，２５ｂに接続する２本のフレキシブル流体管２６の接続部分は、当然、２個の導入口２５ａ，２５ｂに沿って２本のフレキシブル流体管２６を挿着するものであるから、シャワー用ノズル本体２０の移動する中心の軸線が形成する図２に示す角度θの仮想平面に平行する取り付け状態となる。
【００１８】
なお、本発明を実施する場合の、このときの仮想平面に平行する取り付け状態とは、シャワー用ノズル本体２０の長さ方向のみに平行することを意味するものではなく、平面的にみて、シャワー用ノズル本体２０の長さ方向に特定の角度開いていてもよいし、直角であってもよい。側面から見てシャワー用ノズル本体２０の移動する中心の軸線に略平行するか、それ以下の角度になっておればよい。しかし、フレキシブル流体管２６の負担を考慮すると、シャワー用ノズル本体２０の長さ方向に平行する配置が望ましい。
【００１９】
前述したように、２本のフレキシブル流体管２６は、その上端が２個の導入口２５ａ，２５ｂに取り付けられているが、その反対側は、略Ｕ字状に彎曲させて導入口２５ａ，２５ｂの下方にある比較的柔軟性に富む材料からなる管路ホルダ３に取り付けている。本実施の形態では、管路ホルダ３の取り付けは、２本のフレキシブル流体管２６が垂直になるように取り付けている。管路ホルダ３の取り付けを行った２本のフレキシブル流体管２６の他端は、ディスクバルブ３０に三次元的に略Ｓ字状を描いて接続されている。即ち、部分的に見れば、複数の略Ｕ字状を維持している。そして、２本のフレキシブル流体管２６が垂直になるようにした取り付けは、２本のフレキシブル流体管２６が垂直を中心に左右に彎曲自在とするものであるが、本発明を実施する場合には、２本のフレキシブル流体管２６の長さによっては、略Ｕ字状側の変曲点ａ側に傾けた取り付けとすることもできる。
この管路ホルダ３は、フレキシブル流体管２６の長さが長く、両者が接触したり、まとわりつくのを防止するために配設したものである。
【００２０】
シャワー用ノズル本体２０の格納状態で、２本のフレキシブル流体管２６の変曲点ａは、略Ｕ字状の変曲点である図２に示す位置にある。しかし、シャワー用ノズル本体２０が下方向に移動し、洗浄水が噴射ガイドの噴射口から噴射されるときの動作状態では、２本のフレキシブル流体管２６の変曲点ａは、取り付けを行った管路ホルダ３側の変曲点ｂ側に移動する。このとき、２本のフレキシブル流体管２６の変曲点ａから変曲点ｂへの変化は、略Ｕ字状の曲げ位置の変化となるが、この間のシャワー用ノズル本体２０の状態は、平面または垂直面のような二次元的または立体的な三次元的にみれば、略Ｕ字状を維持し、フレキシブル流体管２６の変曲点ａと変曲点ｂとの間の湾曲点変化となっている。
【００２１】
この２本のフレキシブル流体管２６は、一端をシャワー用ノズル本体２０が移動する角度θの仮想平面方向に設けたシャワー用ノズル本体２０の導入口２５ａ，２５ｂに接続し、シャワー用ノズル本体２０の移動する角度θの仮想平面より下部位置で本体ベース１に固定することで平面または垂直面のような二次元的または立体的な三次元的に略Ｕ字状に配設したものであり、しかも、シャワー用ノズル本体２０の移動に伴って特定の部分に止まることなく変曲点ａ乃至変曲点ｂの範囲で移動するようにしたものである。
【００２２】
したがって、２本のフレキシブル流体管２６は、シャワー用ノズル本体２０の移動する仮想平面より下部位置で本体ベース１に固定することで二次元的または三次元的に略Ｕ字状に配設したものであるから、シャワー用ノズル本体２０の移動に伴って、２本のフレキシブル流体管２６が、その湾曲点をシャワー用ノズル本体２０の移動する軌跡の上方向に膨らみを持たせることがない。故に、２本のフレキシブル流体管２６がシャワー用ノズル本体２０の移動する角度θの仮想平面より上方向のケーシング２の内面に衝突したり、ケーシング２の内面を摺動移動したりする可能性を排除できる。また、シャワー用ノズル本体２０の上下移動に伴って特定の部分に止まることなく変曲点ａ乃至変曲点ｂの範囲で移動するものであるから、特定の位置のみに集中してストレスが加わることなく、分散して外力が加わることになり、フレキシブル流体管２６の寿命を長くすることができる。
ここで、ケーシング２は、本体ベース１、シャワー用ノズル本体２０、２本のフレキシブル流体管２６は、勿論、後述するビデ洗浄用ノズル本体（以下、これを単に『ビデ用ノズル本体』という）４０、フレキシブル流体管４６等の本体ベース１に取り付けられた構成部品全体を覆うもので、実施例によっては、他の構成部品が格納される場合もあり得る。
【００２３】
なお、本実施の形態における人体局部洗浄装置１０は、フレキシブル流体管２６の一端をディスクバルブ３０に接続したものであるが、本発明を実施する場合には、電気モータ３１によって駆動されているものに限定されるものではなく、電磁石等の電磁気的制御を行うものであってもよい。
【００２４】
また、上記実施の形態における人体局部洗浄装置１０のシャワー用ノズル本体２０においては、移動駆動部２２の上部に２個の導入口２５ａ，２５ｂを配設するものであるものの、本発明を実施する場合、図示からでは移動駆動部２２の範囲が明確でないが、本実施の形態のラック２１が形成されている下端より上であればよい。即ち、シャワー用ノズル本体２０の移動駆動部２２にフレキシブル流体管２６を載置することもできることから、移動駆動部２２の上部とは移動駆動部２２の上端を意味するものではなく、移動駆動部２２の下側に配設した噴射口及びその噴射口の上側に配設した洗浄水の導入口２５ａ，２５ｂを意味するものである。
【００２５】
次に、図１、図３、図４を用いて、人体局部洗浄装置としてのビデ用ノズル側について説明する。
図１、図３、図４において、ビデ用モータ５１はビデ用ノズル本体４０を移動させるピニオン５２を回転させ、ピニオン５２と噛み合うラック４１によってビデ用ノズル本体４０を上下方向に移動させるものである。ビデ用モータ５１は、１個以上のギアを介してビデ用ノズル本体４０を移動させるピニオン５２を正回転または逆回転させ、そのピニオン５２と噛み合うラック４１によってビデ用ノズル本体４０を上下方向にスライド移動させるも。このビデ用ノズル本体４０は、上下の対向する平行面からなる２面を直線平面とし、その下方の面にラック４１を形成している。このラック４１は、ビデ用ノズル本体４０を上下方向にスライド移動する範囲以上に形成されている。このように、ビデ用ノズル本体４０にラック４１を配設した範囲は、ピニオン５２を正回転または逆回転させることによって、ビデ用ノズル本体４０を移動させる移動駆動部４２を形成している。
【００２６】
ビデ用ノズル本体４０は、ビデとしてはソフトな噴流が好まれることから１本のフレキシブル流体管４６が接続され、ビデ用ノズル本体４０の移動駆動部４２の上端に接続端部４４を介して接続されている。即ち、ビデ用ノズル本体４０には、ラック４１を配設した移動駆動部４２の上部に１個の導入口４３を配設し、更に、導入口４３に１本のフレキシブル流体管４６を接続し、ディスクバルブ３０からビデ用ノズル本体４０までの洗浄水の通路としている。フレキシブル流体管４６が接続された移動駆動部４２の上端に配設され接続端部４４は、本実施の形態においては、直接移動駆動部４２の内部を介して洗浄水を供給する流路を形成している。
【００２７】
また、移動駆動部４２は、本実施の形態においては、ビデ用ノズル本体４０の認識しやすさにより平行面からなる２面を直線平面としているが、少なくとも一面、即ち、下方向の面を平面とし、その平面にラック４１を形成するものであればよい。勿論、この平面は、歯と歯の間の歯底面のみを平面とするものであってもよい。したがって、移動駆動部４２は、ラック４１と噛み合い、回転自在に固定されたピニオン５２の回転によって本体ベース１から進退する伸縮移動自在となっている。
ビデ用ノズル本体４０の移動駆動部４２の下部には、ビデ用ノズル本体４０の下部を覆うように装着されるノズルカバー４５を有している。ノズルカバー４５の構成は、シャワー用ノズル本体２０のノズルカバー２４の構成と同様である。
【００２８】
ビデ用ノズル本体４０には、その下部を覆うように装着されるノズルカバー４５を有している。ノズルカバー４５は、ビデ用ノズル本体４０の長さ方向に挿入するとき、スナップ動作による係合を行い係合状態となる。ノズルカバー４５の回転角度は、本実施の形態では、ビデ用ノズル本体４０の上面も平面とした外形としているから、ビデ用ノズル本体４０の移動駆動部４２の外周形状とノズルカバー４５の外周形状が一致したとき、即ち、長さ方向の直角断面が略円形であるから、ビデ用ノズル本体４０の上平面が移動駆動部４２とノズルカバー４５の上平面が一致したとき、係合位置となり、これは、視覚的でも確認できるし、手触りでも確認できる。
このように接続されることによって、移動駆動部４２の内部を通過する洗浄水は、移動駆動部４２の下部に接続されたノズルカバー４５の内部に導かれ、ノズルカバー４５に形成されている図示しない複数の噴射口から噴射される。
【００２９】
ここで、ビデ用ノズル本体４０の移動駆動部４２の上側の１個の導入口４３は、ビデ用ノズル本体４０の移動方向に対して平行するように延びだしている。この導入口２５は、水平面に対するビデ用ノズル本体４０の移動する中心の軸線が形成する角度θの仮想平面に平行して１個の導入口４３を設けている。１個の導入口４３に接続する１本のフレキシブル流体管４６の接続部分は、当然、１個の導入口４３に沿って１本のフレキシブル流体管４６を挿着するものであるから、ビデ用ノズル本体４０の移動する中心の軸線が形成する角度θの仮想平面に平行する取り付け状態となる。
【００３０】
フレキシブル流体管４６は、その上端が導入口４３に取り付けられているが、螺旋状に彎曲させて導入口４３の下方にある管路ガイド４に案内されている。管路ガイド４に案内されているとは、螺旋状に巻回しているフレキシブル流体管４６の一部が、管路ガイド４で規制を受けている。本実施の形態では、フレキシブル流体管４６の他端は、ディスクバルブ３０に接続されている。即ち、部分的に見れば、複数の略Ｕ字状を維持している。
【００３１】
ビデ用ノズル本体４０の格納状態では、フレキシブル流体管４６の変曲点は螺旋状の径の変化として変化する。しかし、図４のように、ビデ用ノズル本体４０が下方向に移動し、フレキシブル流体管４６の洗浄水が図示しない噴射口から噴射されるときの動作状態で、フレキシブル流体管４６の変曲点は、取り付けを行った管路ガイド４に規制されてその径が変化し、フレキシブル流体管４６の全体の径が変化するが、ビデ用ノズル本体４０の何れの状態でも、殆ど捩れることのない二次元的または三次元的に略Ｕ字状を維持している。
【００３２】
このとき、フレキシブル流体管４６は、一端をビデ用ノズル本体４０が移動する仮想平面方向に設けたビデ用ノズル本体４０の導入口４３に接続し、ビデ用ノズル本体４０の移動する角度θの仮想平面より下部位置で本体ベース１の管路ガイド４に取り付けることで二次元的または三次元的に略Ｕ字状に配設したものであり、しかも、ビデ用ノズル本体４０の移動に伴って特定の部分に止まることなく、殆ど捩れることのないように、全体の径が変化するようにしたものである。
【００３３】
したがって、ビデ用ノズル本体４０の移動する仮想平面より下部位置で本体ベース１に固定することで二次元的または三次元的に略Ｕ字状に配設したものであるから、フレキシブル流体管４６がビデ用ノズル本体４０の移動する仮想平面より上方向に移動し、ケーシング２の内面に衝突したり摺動移動したりする可能性を排除できる。また、ビデ用ノズル本体４０の移動に伴って特定の部分に止まることなく変曲点が変化するものであるから、特定の部分に集中してストレスが加わることなく、分散して外力が加わることになり、フレキシブル流体管４６の寿命を長くすることができる。
【００３４】
次に、図５及び図６を用いて、人体局部洗浄装置としてのディスクバルブ３０及びそれを制御する電気モータ３１について説明する。
図５及び図６において、そのハウジング３９は、一般に、そのハウジング３９を使用して、外部から洗浄水の供給を受ける給水ポート３２、洗浄水を吐出する供給シャワー用洗浄水ポート３３ａ及びシャワー用洗浄水ポート３３ｂ、ビデ用洗浄水ポート３４、ノズル洗浄水ポート３５が形成されている。なお、ビデ用洗浄水ポート３４とノズル洗浄水ポート３５の１方またはその双方を有しないものであっても、本発明を実施する場合に支障はない。
【００３５】
また、ハウジング３９には、ディスクバルブ３０を本体ベース１に固定する必要数の取付板３８及びフレキシブル流体管を保持する必要数の流体管保持部３７を有している。
ディスクバルブ３０のハウジング３９の内部構造は、公知のように、電気モータ３１で回転制御される回転ディスク３０ａと固定ディスク３０ｂによって洗浄水を分配する構成となっている。また、ハウジング３９の内部には、固定ディスク３０ｂと各給水ポート３２、シャワー用洗浄水ポート３３ａ及びシャワー用洗浄水ポート３３ｂ、ビデ用洗浄水ポート３４、ノズル洗浄水ポート３５との間に連結された給水室部３０ｄが形成されている。そして、固定ディスク３０ｂと給水室部３０ｄとの間には、固定ディスク３０ｂを安定した位置に配置する弾性ガイド３０ｃが配設されている。
【００３６】
本実施の形態における人体局部洗浄装置１０のディスクバルブ３０を駆動する電気モータ３１の出力軸３１ａの中心線Ｍ−Ｍは、電気モータ３１の内部に減速機構を有しているので、ディスクバルブ３０の駆動軸３０ｅの中心線Ｖ−Ｖと同一直線上にない。しかし、本発明を実施する場合には、必ずしも、電気モータ３１の出力軸３１ａの中心線Ｍ−Ｍとディスクバルブ３０の駆動軸３０ｅの中心線Ｖ−Ｖとが、同一直線上にあるか否かを問うものではないが、本実施の形態のように、電気モータ３１の中心線Ｍ−Ｍとディスクバルブ３０の中心線Ｖ−Ｖとが、同一直線上にあるか否かを問うものではないから、設計自由度が高くなる。
【００３７】
本実施の形態における人体局部洗浄装置１０の電気モータ３１の出力軸３１ａの中心線Ｍ−Ｍと、ディスクバルブ３０の駆動軸３０ｅの中心線Ｖ−Ｖは、互いに略水平方向となっている。したがって、給水ポート３２、シャワー用洗浄水ポート３３ａ及びシャワー用洗浄水ポート３３ｂ、ビデ用洗浄水ポート３４、ノズル洗浄水ポート３５等は、水平方向よりも上方向に形成することができ、フレキシブル流体管２６ａ，２６ｂ，４６を無理な配管した状態とすることができる。即ち、洗浄水を出力するポートを垂直下方に設けることなく構成したものであり、少なくとも、水平方向よりも下方向に形成したポートを有していないから、無駄のない、無理のない配管が可能となる。
【００３８】
特に、ディスクバルブ３０は、そのハウジング３９の内部で、電気モータ３１で回転制御される回転ディスク３０ａと固定ディスク３０ｂによって洗浄水を分配し、その分配された洗浄水の取り出し位置が異なった給水ポート３２、シャワー用洗浄水ポート３３ａ及びシャワー用洗浄水ポート３３ｂ、ビデ用洗浄水ポート３４、ノズル洗浄水ポート３５等を設けることから、ディスクバルブ３０の全長が長くなるのが普通である。
これに対して、電気モータ３１で回転制御される回転ディスク３０ａと固定ディスク３０ｂとの径を大きくして対応することも考えられるが、そのようにすると回転ディスク３０ａを回転するモーメントが大きくなり、電気モータ３１の出力を大きくする必要がある。しかし、本実施の形態では、回転ディスク３０ａの径を小さくしたものであるから、電気モータ３１の出力を小さくても制御可能である。
【００３９】
ここで、本実施の形態における人体局部洗浄装置１０のシャワー用ノズル本体２０側によれば、本体ベース１から伸縮移動自在とした移動駆動部２２及び移動駆動部２２の下部に配設した噴射口及び噴射口の上部に配設した洗浄水の導入口２５ａ，２５ｂとを有するシャワー用ノズル本体２０と、一端がシャワー用ノズル本体２０の導入口２５ａ，２５ｂに接続され、かつ、他の部分が本体ベース１に対して固定され、シャワー用ノズル本体２０の導入口２５ａ，２５ｂに洗浄水を供給するフレキシブル流体管２６ａ，２６ｂとを具備し、そのフレキシブル流体管２６ａ，２６ｂは、一端をシャワー用ノズル本体２０が移動する角度θの仮想平面方向に設けたシャワー用ノズル本体２０の導入口２５ａ，２５ｂに接続し、シャワー用ノズル本体２０の移動する仮想平面以下にディスクバルブ３０のシャワー用洗浄水ポート３３ａ及びシャワー用洗浄水ポート３３ｂが位置し、それに接続したフレキシブル流体管２６ａ，２６ｂもシャワー用ノズル本体２０の移動する仮想平面以下に位置するものである。また、シャワー用ノズル本体２０の移動する角度θの仮想平面より下部で本体ベース１に支持することで、二次元的または三次元的に略Ｕ字状に配設されるから、シャワー用ノズル本体２０の上部のケーシング２の内面にフレキシブル流体管２６ａ，２６ｂが接触して移動する可能性は全くなくなり、また、二次元的または三次元的に略Ｕ字状に湾曲させているから、シャワー用ノズル本体２０の移動に伴ってその変曲点が特定の部分に止まることなく移動するから、特定の位置のみにストレスが入ることがないので、寿命を長くすることができる。当然、シャワー用ノズル本体２０からなるノズル本体を収納するケーシング２の高さを低く抑えることができる。
【００４０】
同様に、本実施の形態における人体局部洗浄装置１０のビデ用ノズル本体４０側によれば、本体ベース１から伸縮移動自在とする移動駆動部４２及び移動駆動部４２の下側に配設した噴射口及び上側に配設した洗浄水の導入口４３を有するビデ用ノズル本体４０と、一端がビデ用ノズル本体４０の導入口４３に接続され、かつ、他の部分が本体ベース１に対して固定され、ビデ用ノズル本体４０の導入口４３に洗浄水を供給するフレキシブル流体管４６とを具備し、フレキシブル流体管４６は、一端をビデ用ノズル本体４０が移動する仮想平面方向に設けたビデ用ノズル本体４０の導入口４３に接続し、ビデ用ノズル本体４０の移動する仮想平面より下部でディスクバルブ３０に固定することで二次元的または三次元的に略Ｕ字状に配設し、ビデ用ノズル本体４０の移動に伴って特定の部分に止まることなく変曲点が移動するようにしたものである。
【００４１】
本実施の形態における人体局部洗浄装置１０によれば、本体ベース１から伸縮移動自在とした移動駆動部４２及び移動駆動部４２の下部に配設した噴射口及びその噴射口の上部に配設した洗浄水の導入口４３とを有するビデ用ノズル本体４０と、一端がビデ用ノズル本体４０の導入口４３に接続され、かつ、他の部分が本体ベース１に対して取り付けられ、ビデ用ノズル本体４０の導入口４３に洗浄水を供給するフレキシブル流体管４６とを具備し、フレキシブル流体管４６は、一端をビデ用ノズル本体４０が移動する角度θの仮想平面方向に設けたビデ用ノズル本体４０の導入口４３に接続し、ビデ用ノズル本体４０の移動する仮想平面以下にフレキシブル流体管４６が位置するものであり、しかも、ビデ用ノズル本体４０の移動する角度θの仮想平面より下部で本体ベース１に固定することで二次元的または三次元的に略Ｕ字状に配設しているから、ビデ用ノズル本体４０の上部にフレキシブル流体管４６が移動する可能性は全くなくなり、また、二次元的または三次元的に略Ｕ字状に湾曲させているから、ビデ用ノズル本体４０の移動に伴ってその変曲点が特定の部分に止まることなく移動するから、特定の位置のみにストレスが入ることがないので、寿命を長くすることができる。当然、ビデ用ノズル本体４０からなるノズル本体を収納するケーシング２の高さを低く抑えることができる。
【００４２】
上記実施の形態における人体局部洗浄装置１０においては、シャワー用ノズル本体２０とビデ用ノズル本体４０に適用する場合について説明したが、本発明を実施する場合には、シャワー用ノズルとビデ用ノズルの何れの形態にも適用することができる。
【００４３】
上記シャワー用ノズルとビデ用ノズルの実施の形態における人体局部洗浄装置においては、一端がシャワー用ノズル本体２０またはビデ用ノズル本体４０からなるノズル本体の導入口２５ａ，２５ｂ，４３に接続され、かつ、他の部分が本体ベース１に対して取り付けられた下方に位置するディスクバルブ３０に取り付ける構成として、シャワー用ノズル本体２０では比較的柔軟性に富む材料からなる管路ホルダ３に取り付ける場合、またはビデ用ノズル本体４０ではフレキシブル流体管４６を管路ガイド４に取り付ける場合について説明した。本発明を実施する場合には、シャワー用ノズル本体２０のように比較的柔軟性に富む材料からなる管路ホルダ３に取り付ける場合には、完全な固定と異なり、フレキシブル流体管４６に与えるストレスが少なくて済む。また、ビデ用ノズル本体４０のようにフレキシブル流体管４６を管路ガイド４に取り付ける場合には、格別、フレキシブル流体管４６にストレスが入るものではないが、ディスクバルブ３０の取り付け部分にストレスが入らない構成であればよい。
念のために記載するが、比較的柔軟性に富む材料からなる管路ホルダ３と管路ガイド４は、本発明を実施する場合には、必ずしも必要な要件ではなく、フレキシブル流体管２６ａ，２６ｂ，４６を引き回す場合の対応の１手段に過ぎない。
【００４４】
また、上記実施の形態における人体局部洗浄装置１０のシャワー用ノズル本体２０においては、移動駆動部２２の上部に２個の導入口２５ａ，２５ｂを配設しており、ビデ用ノズル本体４０においては、移動駆動部４２の上部に１個の導入口４３を配設しているが、本発明を実施する場合は、導入口２５ａ，２５ｂ，４３の個数に左右されるものではなく、１以上の導入口を有しておればよい。同様に、フレキシブル流体管２６，４６についても、個数に左右されるものではなく、１以上の導入口に対応するものであればよい。そして、導入口２５ａ，２５ｂ，４３の位置と、給水ポート３２、シャワー用洗浄水ポート３３ａ及びシャワー用洗浄水ポート３３ｂ、ビデ用洗浄水ポート３４、ノズル洗浄水ポート３５等の各ポート位置は、導入口２５ａ，２５ｂ，４３の位置が最も高く、前記ポート位置はそれよりも低ければよい。また、比較的柔軟性に富む材料からなる管路ホルダ３と管路ガイド４の位置は、本発明を実施する場合には、必ずしも特定されるものではなく、最も高い導入口２５ａ，２５ｂ，４３の位置と、それらよりも低い各ポート位置との間またはそれよりも低い位置であればよい。
【００４５】
ここで、シャワー用ノズル本体２０は移動駆動部２２の上部に２個の導入口２５ａ，２５ｂ、またはビデ用ノズル本体４０は移動駆動部４２の上部に１個の導入口４３を配設しているが、本発明を実施する場合の導入口２５ａ，２５ｂ、４３は、その噴射口または噴射口の上側に配設されればよく、移動駆動部２２または移動駆動部４２のように内部に管を入れたり、直接洗浄水を流したりする形態に特定されるものではない。
【００４６】
そして、上記実施の形態における人体局部洗浄装置のビデ用ノズル本体４０においては、移動駆動部４２の上部に１個の導入口４３を配設するものであるが、本発明を実施する場合、図示では移動駆動部４２の範囲が明確でないが、ラック４１が形成されている下端より上であればよい。即ち、ビデ用ノズル本体４０の移動駆動部４２にフレキシブル流体管４６を載置することもできることから、移動駆動部４２の上部とは上端を意味するものではなく、移動駆動部４２の下側に配設した噴射口及びその噴射口の上側に配設した洗浄水の導入口４３を意味するものである。
【００４７】
即ち、本件発明の実施の形態における人体局部洗浄装置１０は、電気モータ１１．５１の回転出力でピニオン１２，５２を回転し、ピニオン１２，５２の回転によってピニオン１２，５２と噛み合うラック２１，４１によりスライド移動自在とした下部にラック２１，４１を形成してなるシャワー用ノズル本体２０またはビデ用ノズル本体４０からなるノズル本体と、電気モータ１１，５１を取り付け、シャワー用ノズル本体２０またはビデ用ノズル本体４０からなるノズル本体をスライド移動自在に保持する本体ベース１と、本体ベース１のシャワー用ノズル本体２０またはビデ用ノズル本体４０からなるノズル本体がスライド移動する軌跡よりも低い位置に設定された洗浄水の切り替え供給制御を行う電気モータ３１が配設されたディスクバルブ３０を具備し、ディスクバルブ３０は、そのディスクバルブ３０の開閉制御を行う駆動軸３０ｅの中心線Ｖ−Ｖとディスクバルブ３０の駆動軸３０ｅを回転駆動する電気モータ３１の出力軸３１ａの中心線Ｍ−Ｍを略水平方向とし、かつ、その洗浄水の出力を垂直下方に設けることなく出力し、シャワー用ノズル本体２０またはビデ用ノズル本体４０からなるノズル本体に可撓性に富むフレキシブル流体管２６，４６により洗浄水を供給するものである。
【００４８】
上記実施の形態における人体局部洗浄装置１０は、ケーシング２の内部に収容された本体ベース１に装着され、かつ、前記本体ベース１の上面に沿って前後方向に進退自在の肛門洗浄用ノズル本体２０及びビデ洗浄用ノズル本体４０と、内蔵されたディスクを電気モータ３１によって回転させることにより、給水源から供給された洗浄水を肛門洗浄用ノズル本体２０またはビデ洗浄用ノズル本体４０に選択的に供給するディスクバルブ３０を備えた人体局部洗浄装置において、電気モータ３１の出力軸３０ｅの中心線Ｖ−Ｖが、略水平方向に延在し、かつ、肛門洗浄用ノズル本体２０及びビデ洗浄用ノズル本体４０が進退する前後方向と交差するように、ディスクバルブ３０を肛門洗浄用ノズル本体２０及びビデ洗浄用ノズル本体４０が進退する前後方向の片側に配設した技術思想としてまとめることができる。
【００４９】
したがって、ディスクバルブ３０の開閉制御を行う駆動軸３０ｅと該駆動軸３０ｅを回転駆動する電気モータ３１の出力軸３１ａを略水平方向とするものであるから、電気モータ３１で制御される多層化したディスクバルブ３０の高さ（縦型の高さ）に対して直径方向の径が高さとなるので低くなり、かつ、可撓性に富むフレキシブル流体管２６，４６に無理な配管をすることなく、その配管の取り付け位置の洗浄水の排出方向の向きによって滑らかに移動させることができるから、肛門洗浄用ノズル本体２０及びビデ洗浄用ノズル本体４０をスライド移動自在に保持する本体ベース１を低く設定することができる。特に、ディスクバルブ３０の開閉制御を行う駆動軸３０ｅと、その駆動軸３０ｅを回転駆動する電気モータ３１の出力軸３０ｅを独立して略水平方向とするものであるから、ディスクバルブ３０とそれを駆動する電気モータ３１との軸が必ずしも直線位置に設定する必要性がなくなり、レイアウトの自由度を高めることができる。ディスクバルブ３０の位置が低くなり、可撓性に富むフレキシブル流体管２６，４６の長さにゆとりができるから、肛門洗浄用ノズル本体２０及びビデ洗浄用ノズル本体４０の移動軌跡以下の位置にフレキシブル流体管２６，４６を配設でき、本体ベース１の高さを低くすることができる。
【００５０】
また、上記実施の形態の人体局部洗浄装置によれば、電気モータ３１の軸心及びディスクの軸心は、肛門洗浄用ノズル本体２０及びビデ洗浄用ノズル本体４０が進退する前後方向に対して略直角をなしているものであるから、ディスクバルブ３０の開閉制御を行う駆動軸３０ｅと、その駆動軸３０ｅを回転駆動する電気モータ３１の出力軸を独立して略水平方向とすることができ、ディスクバルブ３０とそれを駆動する電気モータ３１との軸が必ずしも直線位置に設定する必要性がなくなり、レイアウトの自由度を高めることができる。ディスクバルブ３０の位置が低くなり、配管の長さにゆとりができるから、肛門洗浄用ノズル本体２０及びビデ洗浄用ノズル本体４０の移動軌跡以下の位置に配管を配設でき、肛門洗浄用ノズル本体２０及びビデ洗浄用ノズル本体４０の高さを低くすることができる。
【００５１】
そして、上記実施の形態の人体局部洗浄装置によれば、ディスクバルブ３０と肛門洗浄用ノズル本体２０及びビデ洗浄用ノズル本体４０の何れか一方とを連通する配管が、肛門洗浄用ノズル本体２０及びビデ洗浄用ノズル本体４０が進退する前後方向の一方の側面側から他方の側面側に延出しているから、ディスクバルブ３０から肛門洗浄用ノズル本体２０及びビデ洗浄用ノズル本体４０への配管を簡素化可能となる。
【００５２】
特に、上記実施の形態における人体局部洗浄装置１０においては、ディスクバルブ３０の開閉制御を行う駆動軸３０ｅの中心線Ｖ−Ｖと、駆動軸３０ｅを回転駆動する電気モータ３１の出力軸３１ａの中心線Ｍ−Ｍを略水平方向とするものであるから、電気モータ３１で制御される多層化したディスクバルブ３０の高さが直径方向の径が高さとなるので低くなり、かつ、可撓性に富むフレキシブル流体管２６，４６に無理な配管配置をすることなく、そのフレキシブル流体管２６，４６の取り付け位置の洗浄水の排出方向の向きによって滑らかに移動させることができるから、シャワー用ノズル本体２０またはビデ用ノズル本体４０からなるノズル本体をスライド移動自在に保持する本体ベース１の高さを低く設定することができる。特に、ディスクバルブ３０の開閉制御を行う駆動軸３０ｅと、その駆動軸３０ｅを回転駆動する電気モータ３１の出力軸３１ａを独立して略水平方向とするものであるから、ディスクバルブ３０とそれを駆動する電気モータ３１との軸が必ずしも直線位置に設定する必要性がなくなり、レイアウトの自由度を高めることができる。ディスクバルブ３０の位置が低くなり、可撓性に富むフレキシブル流体管２６，４６の長さにゆとりができるから、シャワー用ノズル本体２０またはビデ用ノズル本体４０からなるノズル本体の移動軌跡以下の位置にフレキシブル流体管２６，４６を配設でき、本体ベース１の高さを低くすることができる。
【００５３】
上記実施の形態における人体局部洗浄装置１０においては、ディスクバルブ３０を本体ベース１のシャワー用ノズル本体２０またはビデ用ノズル本体４０からなるノズル本体がスライド移動する軌跡よりも低い後部で、かつ、シャワー用ノズル本体２０またはビデ用ノズル本体４０からなるノズル本体がスライド移動する軌跡よりも離れた位置に配設したものであるから、電気モータ３１を取り付けたディスクバルブ３０の収容空間が確保され、無理なく装置全体の高さを低くできる。
【００５４】
上記シャワー用ノズル本体２０で説明した人体局部洗浄装置１０は、二次元的または三次元的に略Ｕ字状に配設したフレキシブル流体管２６，４６として、２回の繰り返しの変曲により、略Ｓ字状としたものであるから、変曲箇所が２箇所となり、シャワー用ノズル本体２０またはビデ用ノズル本体４０からなるノズル本体の移動に伴って移動する変曲点は、分散されるから、特定の位置のみにストレスが入ることがないので寿命を長くすることができる。また、上記ビデ用ノズル本体４０で説明した人体局部洗浄装置１０は、前記二次元的または三次元的に略Ｕ字状に配設したフレキシブル流体管２６，４６として、２回の繰り返しの変曲により、略螺旋状としたものであるから、変曲が全体的となり、分散された変曲となるから、特定の位置のみにストレスが入ることがないので寿命を長くすることができる。
【図面の簡単な説明】
【００５５】
【図１】図１は本発明の実施の形態１における人体局部洗浄装置の全体斜視図である。
【図２】図２は本発明の実施の形態１における人体局部洗浄装置の右側面図である。
【図３】図３は本発明の実施の形態１における人体局部洗浄装置の左側面図である。
【図４】図４は図２の矢印Ａ方向から見たＡ矢視図である。
【図５】図５は本発明の実施の形態１における人体局部洗浄装置の取付状態の下からの視点で見たディスクバルブと電気モータの平面図である。
【図６】図６は本発明の実施の形態１における人体局部洗浄装置のディスクバルブと電気モータを同軸とした視点から見た要部断面図である。
【符号の説明】
【００５６】
１    本体ベース
２    ケーシング
１０    人体局部洗浄装置
２０    シャワー用ノズル本体
４０    ビデ用ノズル本体
２５ａ，２５ｂ，４３    導入口
２６ａ，２６ｂ，４６    フレキシブル流体管
３０    ディスクバルブ
３１    電気モータ
３０ｅ  ディスクバルブの駆動軸
３１ａ  電気モータの出力軸
【図１】
2007239249.tif 000003
【図２】
2007239249.tif 000004
【図３】
2007239249.tif 000005
【図４】
2007239249.tif 000006
【図５】
2007239249.tif 000007
【図６】
2007239249.tif 000008